(57)【要約】【課題】スクリーンに対して正常に画像を投影可能な位置をユーザに報知することができるプロジェクタ、およびその位置検出方法を提供する。【解決手段】画像補正を行う画像補正手段２３と、画像補正手段２３により補正した画像をスクリーンＳＣに投射する投射手段と、スクリーンＳＣに投射した画像を撮像する撮像手段２７と、所定位置から投射した画像の撮像結果である基準画像と、当該画像の画像補正値である基準補正値と、を記憶する記憶手段２６と、基準補正値に基づいて画像補正して任意の位置から投射した画像の撮像結果である任意画像と、記憶手段２６に記憶されている基準画像との差分に基づいて、所定位置と任意の位置との相対位置を算出する相対位置算出手段と、算出した相対位置に関する情報を報知する報知手段１９と、を備える。【選択図】図５
2009186528.tif 000002
【特許請求の範囲】
【請求項１】
画像補正を行う画像補正手段と、
前記画像補正手段により補正した画像をスクリーンに投射する投射手段と、
前記スクリーンに投射した前記画像を撮像する撮像手段と、
所定位置から投射した前記画像の撮像結果である基準画像と、当該画像の画像補正値である基準補正値と、を記憶する記憶手段と、
前記基準補正値に基づいて画像補正して任意の位置から投射した画像の撮像結果である任意画像と、前記記憶手段に記憶されている基準画像との差分に基づいて、前記所定位置と前記任意の位置との相対位置を算出する相対位置算出手段と、
算出した前記相対位置に関する情報を報知する報知手段と、を備えたことを特徴とするプロジェクタ。
【請求項２】
装置本体の位置変化を検出する位置変化検出手段をさらに備え、
前記相対位置算出手段は、
予め定めた所定量を超える位置変化の検出に伴って、前記相対位置を算出することを特徴とする請求項１に記載のプロジェクタ。
【請求項３】
前記相対位置算出手段は、
ユーザからの指示をトリガとして、前記相対位置を算出することを特徴とする請求項１に記載のプロジェクタ。
【請求項４】
前記相対位置算出手段は、
前記相対位置として、３次元方向における相対位置および装置本体の載置面に対する水平方向の回転角度を算出することを特徴とする請求項１ないし３のいずれか１項に記載のプロジェクタ。
【請求項５】
前記画像補正手段は、
少なくともフォーカス手段、レンズシフト手段および台形歪補正手段から成ることを特徴とする請求項１ないし４のいずれか１項に記載のプロジェクタ。
【請求項６】
前記報知手段は、
前記相対位置に関する情報を、前記投射手段により前記スクリーンに投射して報知することを特徴とする請求項１ないし５のいずれか１項に記載のプロジェクタ。
【請求項７】
前記報知手段は、
前記相対位置に関する情報を、音声で報知することを特徴とする請求項１ないし６のいずれか１項に記載のプロジェクタ。
【請求項８】
画像補正を行う画像補正工程と、
前記画像補正工程により補正した画像をスクリーンに投射する投射工程と、
前記スクリーンに投射した前記画像を撮像する撮像工程と、
所定位置から投射した前記画像の撮像結果である基準画像と、当該画像の画像補正値である基準補正値と、を記憶する記憶工程と、
前記基準補正値に基づいて画像補正して任意の位置から投射した画像の撮像結果である任意画像と、前記記憶手段に記憶されている基準画像との差分に基づいて、前記所定位置と前記任意の位置との相対位置を算出する相対位置算出工程と、
算出した前記相対位置に関する情報を報知する報知工程と、を備えたことを特徴とするプロジェクタの位置算出方法。
【発明の詳細な説明】
【技術分野】
【０００１】
本発明は、スクリーンに画像を投影するプロジェクタ、およびその位置算出方法に関するものである。
【背景技術】
【０００２】
従来、会議室などに設置されたスクリーンに対して画像を投影するプロジェクタが知られている。このプロジェクタは、投射レンズを平行移動して光軸を移動させるレンズシフト手段と、投射レンズのフォーカス調整を行う電動フォーカス手段と、投射レンズのズーム調整を行う電動ズーム手段と、プロジェクタの傾き及び投射光の投射方向を設定する投射方向／傾き設定手段と、スクリーンとプロジェクタの相対位置情報を検出する相対位置検出手段と、を備えている。相対位置検出手段は、プロジェクタ側およびスクリーン側に配置された交信機により、これらの相対位置／距離を検出する。そして、この検出結果に基づき、レンズシフト手段、電動フォーカス手段、電動ズーム手段、投射方向／傾き設定手段を制御し、投射画像の有効領域をスクリーンの有効領域に近づける。さらに、上記制御を行っても投射画像に台形歪みが残る場合には、投射画像の台形補正を行う。これにより、高品質の画像をスクリーンに投影する（例えば、特許文献１参照）。
【特許文献１】特開２００４−３４１０２９号公報
【発明の開示】
【発明が解決しようとする課題】
【０００３】
ところで、上述のプロジェクタでは、設置位置が変わってしまうと、当該設置位置に基づいて（設置位置を基準として）投射対象となる画像の補正（フォーカス調整や台形歪補正等）を自動で行う。しかしながら、この自動補正のみで画像を完璧に補正することは難しく、最終的にはプロジェクタの操作者がこれら補正の微調整を行わなければならない。このため、設置位置が変わる度に、操作者が画像の補正（微調整）をしなければならず、手間がかかるという問題がある。
【０００４】
本発明は、上記の問題に鑑み、スクリーンに対して正常に画像を投影可能な位置をユーザに報知することができるプロジェクタ、およびその位置検出方法を提供することを目的とする。
【課題を解決するための手段】
【０００５】
本発明のプロジェクタは、画像補正を行う画像補正手段と、画像補正手段により補正した画像をスクリーンに投射する投射手段と、スクリーンに投射した画像を撮像する撮像手段と、所定位置から投射した画像の撮像結果である基準画像と、当該画像の画像補正値である基準補正値と、を記憶する記憶手段と、基準補正値に基づいて画像補正して任意の位置から投射した画像の撮像結果である任意画像と、記憶手段に記憶されている基準画像との差分に基づいて、所定位置と任意の位置との相対位置を算出する相対位置算出手段と、算出した相対位置に関する情報を報知する報知手段と、を備えたことを特徴とする。
【０００６】
また、本発明のプロジェクタの位置算出方法は、画像補正を行う画像補正工程と、画像補正工程により補正した画像をスクリーンに投射する投射工程と、スクリーンに投射した画像を撮像する撮像工程と、所定位置から投射した画像の撮像結果である基準画像と、当該画像の画像補正値である基準補正値と、を記憶する記憶工程と、基準補正値に基づいて画像補正して任意の位置から投射した画像の撮像結果である任意画像と、記憶手段に記憶されている基準画像との差分に基づいて、所定位置と任意の位置との相対位置を算出する相対位置算出工程と、算出した相対位置に関する情報を報知する報知工程と、を備えたことを特徴とする。
【０００７】
これらプロジェクタおよびその位置算出方法によれば、所定位置から投射した画像（補正済み画像）を撮像した撮像結果を基準画像とする。そして、当該基準画像と、当該画像を投射したときの画像補正値である基準補正値と、を記憶する。一方、任意の位置から上記の基準補正値に基づいて投射した画像の撮像結果を任意画像とする。そして、これら基準画像と任意画像とを比較し、その差分に基づいて所定位置と任意の位置との相対位置を算出し、その算出した相対位置に関する情報を報知する。つまり、ユーザは、任意の位置（現時点のプロジェクタの設置位置）が、最初に基準画像の元となる投影画像を投射した所定位置からどの方向にどのくらい離れているかを知ることが出来る。これにより、ユーザは、所定位置における画像の補正のみを行いさえすれば、その後プロジェクタの設置位置が変わったとしても、上述の相対位置に関する情報に基づいてプロジェクタの位置を所定位置に移動させるだけで、スクリーンに対して正常な画像を投影することができる。このため、プロジェクタの設置場所が変ってしまったことに起因する画像補正（微調整）の手間を省くことが出来る。なお、報知する相対位置の情報としては、所定位置を基準とした現在の位置を報知しても良いし、現在の位置から所定位置までの移動方向や移動量、または移動方法を報知しても良い。
【０００８】
本発明のプロジェクタにおいて、装置本体の位置変化を検出する位置変化検出手段をさらに備え、相対位置算出手段は、予め定めた所定量を超える位置変化の検出に伴って、相対位置を算出することが好ましい。
【０００９】
この構成によれば、プロジェクタの位置変化を検出し、この位置変化の量が予め定めた所定量を超えた場合に基準位置と現在の位置（任意の位置）との相対位置を算出する。これにより、例えば、所定量を少なく設定することで、プロジェクタの位置変化に伴って刻々と相対位置を算出し、当該プロジェクタを設置すべき位置に関する情報を報知できる。
【００１０】
本発明のプロジェクタにおいて、相対位置算出手段は、ユーザからの指示をトリガとして、相対位置を算出することが好ましい。
【００１１】
この構成によれば、ユーザの指示（例えば、装置本体に搭載されたボタンを押す等）をトリガとして、基準位置と現在の位置との相対位置を算出する。これにより、例えば、プロジェクタの位置変化に伴って刻々と相対位置を算出する場合に比べ、プロジェクタの処理負荷を軽減できるため、プロジェクタの性能が低い場合などには好適である。
【００１２】
本発明のプロジェクタにおいて、相対位置算出手段は、相対位置として、３次元方向における相対位置および装置本体の載置面に対する水平方向の回転角度を算出することが好ましい。
【００１３】
この構成によれば、プロジェクタの位置を、３次元方向および装置本体の載置面に対する水平方向の相対位置で算出する。これにより、ユーザは、プロジェクタの現在位置が所定位置に対して、前後方向、左右方向、上下方向にどのくらい離れているか（どの位置にあるのか）、水平方向にどのくらい回転しているのかを知ることが出来る。
【００１４】
本発明のプロジェクタにおいて、画像補正手段は、少なくともフォーカス手段、レンズシフト手段および台形歪補正手段から成ることが好ましい。
【００１５】
この構成によれば、画像補正手段として、フォーカス手段、レンズシフト手段および台形歪補正手段を有するため、画像補正をより正確に行うことができる。
【００１６】
本発明のプロジェクタにおいて、報知手段は、相対位置に関する情報を、投射手段によりスクリーンに投射して報知することが好ましい。
【００１７】
この構成によれば、基準位置と現在のプロジェクタの位置との相対位置に関する情報を、スクリーンに投射して報知する。これにより、ユーザに対して視覚的に相対位置情報を提供することができるため、ユーザは容易にプロジェクタを設置すべき位置（あるいは、設置すべき位置までの方向および距離）を把握することができる。
【００１８】
本発明のプロジェクタにおいて、報知手段は、相対位置に関する情報を、音声で報知することが好ましい。
【００１９】
この構成によれば、基準位置と現在のプロジェクタの位置との相対位置に関する情報を音声で報知する。これにより、例えば、ユーザに対して「後ろにＸセンチメートル、左にＹセンチメートル移動してください。」と報知することで、ユーザは容易にプロジェクタの設置位置（あるいは、設置位置までの距離）を把握することができる。
【発明を実施するための最良の形態】
【００２０】
以下、添付した図面を参照して、本発明の一実施形態に係るプロジェクタ、およびその位置算出方法について説明する。
【００２１】
図１は、本発明の一実施形態に係るプロジェクタ１の構成を示すブロック図である。同図に示すように、本実施形態のプロジェクタ１は、スクリーンＳＣに対して画像（映像光）を投射する光学系（投射手段、報知手段）として、照明光学系１７と、液晶ライトバルブ１８と、投射光学系１９と、を備えている。また、プロジェクタ１は、これらの光学系に関わる構成要素として、光源ランプ駆動部１１と、液晶ライトバルブ駆動部１２と、投射光学系調整部１３と、シフト位置検出部１４と、ズーム位置検出部１５と、フォーカス位置検出部１６と、を備えている。
【００２２】
さらに、プロジェクタ１は、その他の構成要素として、中央処理装置であるＣＰＵ（Central Processing Unit）２１の他、画像入力部２２と、画像処理部２３と、操作部２４と、加速度センサ２５（位置変化検出手段）と、記憶部２６（記憶手段）と、撮像部２７（撮像手段）と、を備えている。このうち、構成要素１１〜１６および構成要素２２〜２７は、ＣＰＵ２１とバス２８を介して接続されている。
【００２３】
光源ランプ駆動部１１は、照明光学系１７に含まれる光源ランプを駆動する。光源ランプとしては、放電発光型のものであっても自己発光素子（発光ダイオードなど）であっても良い。液晶ライトバルブ駆動部１２は、画像処理部２３により処理された画像データに基づいて、画像形成素子である液晶ライトバルブ１８を駆動する。
【００２４】
投射光学系調整部１３は、モータを有しており、投射光学系１９に含まれる投射レンズの位置を調整する。当該投射レンズは、筒状の鏡筒内に、ズームレンズやフォーカスレンズなど複数のレンズが収容された組レンズとして構成される。
【００２５】
具体的には、投射光学系調整部１３は、投射レンズを光源光軸ＬＡに直交する方向に移動させることによって、投射光学系１９のシフト位置を調整する（レンズシフト手段）。また、投射光学系調整部１３は、投射レンズに含まれるズームレンズを、これを支持するズームリングの回転によって、光源光軸ＬＡに平行な方向に移動させることにより、投射光学系１９のズーム位置を調整する。さらに、投射光学系調整部１３は、投射レンズに含まれるフォーカスレンズを、これを支持するフォーカスリングの回転によって、光源光軸ＬＡに直交する方向に移動させる（複数のレンズの相対位置を変更させる）ことにより、投射光学系１９のフォーカス位置を調整する（フォーカス手段）。なお、光源光軸ＬＡとは、照明光学系１７から射出される光の中心軸を指し、液晶ライトバルブ１８の有効表示領域（画像形成面）の中心を通る。
【００２６】
シフト位置検出部１４は、投射光学系１９のシフト位置を検出する。ズーム位置検出部１５は、投射光学系１９のズーム位置を検出する。また、フォーカス位置検出部１６は、投射光学系１９のフォーカス位置を検出する。なお、これら各検出部（シフト位置検出部１４、ズーム位置検出部１５およびフォーカス位置検出部１６，以下、「投射検出部１０」と総称する）の検出結果は、投射光学系調整部１３による画像調整のために用いられる。また、投射検出部１０としては、ロータリーエンコーダや可変抵抗器など、周知の位置検出手段を適用可能である。
【００２７】
画像入力部２２は、メモリカード３５などの外部記憶媒体から画像データを取得する。この場合、画像入力部２２は、画像データを読み出すメモリカードスロットにより構成される。また、画像入力部２２は、パーソナルコンピュータ３６やビデオレコーダ３７等の外部装置から画像データを取得することも可能である。この場合、画像入力部２２は、パーソナルコンピュータ３６から出力されたＲＧＢ信号やビデオレコーダ３７から出力されたコンポジット信号を受信するインターフェースにより構成される。
【００２８】
画像処理部２３（画像補正手段）は、台形歪補正部３１（台形歪補正手段）を有し、画像処理プログラムに基づいて所定の画像処理を実行する。台形歪補正部３１は、プロジェクタ１の水平方向における回転や仰角変化に伴う画像の歪みを補正する。例えば、スクリーンＳＣに対して斜め方向からプロジェクタ１による投射を行う場合、液晶ライトバルブ１８に歪みのない画像が形成されると、スクリーンＳＣ上の投影画像Ｇが略台形状にゆがんでしまう。そこで、液晶ライトバルブ１８に略台形状に歪んだ画像（スクリーンＳＣ上に投影される投影画像Ｇの逆画像）を形成すれば、スクリーンＳＣ上に歪みのない画像（正しいアスペクト比を有する矩形画像）を投影させることができる。すなわち、台形歪補正部３１は、画像補正処理に伴って、この補正済みの画像データを生成する処理を行う。
【００２９】
撮像部２７は、プロジェクタ１の筐体の前面に取り付けられており、ＣＣＤカメラ３４により構成されている。この撮像部２７により、投射光学系調整部１３および画像処理部２３（台形歪補正部３１）により補正（調整）され、スクリーンＳＣに投影された画像を撮像する。
【００３０】
操作部２４は、ユーザによって操作されるものであり、電源ボタンや各種設定（コントラスト設定、色補正、環境設定など）を行うためのキー群を有する。当該キー群には、補正情報設定キー３２と、画像補正モード選択キー３３と、が含まれる。
【００３１】
補正情報設定キー３２は、スクリーンＳＣに投影された投影画像Ｇの撮像結果および当該投影画像Ｇの画像補正に関する情報を記憶部２６に記録させるためのものである。具体的には、この補正情報設定キー３２が押されると、投影画像Ｇの撮像結果を基準画像として、また、投影画像Ｇを投影したときの台形歪補正部３１による画像補正値を基準補正値として記憶部２６に記録するようになっている。なお、この基準画像および基準補正値は、プロジェクタ１により正常に投影された投影画像Ｇの撮像結果および画像補正値であればよく、投影画像Ｇの大きさ・形状および画像補正値は、これらを取得する際のプロジェクタ１の設置位置毎に異なる。また、この時のプロジェクタ１の設置位置を基準位置（所定位置）と定義する。
【００３２】
画像補正モード選択キー３３は、第１補正モードおよび第２補正モードを有し、これら各補正モードのどちらのモードで画像補正処理を実行するかを選択するものである。第１補正モードが選択された場合、一般的な画像補正処理と同様に、現在のプロジェクタ１の設置位置からの投影画像Ｇが好適に投影されるように、投射光学系調整部１３および台形歪補正部３１により画像補正が実行される。
【００３３】
一方、第２補正モードが選択された場合、対象となる画像に対して、記憶部２６に記憶された基準補正値に基づいて画像補正が実行される。そして、この基準補正値に基づいて投射した画像の撮像結果（以下、「任意画像」と称す。）と記憶部２６に記憶された基準画像との差分に基づいて、基準位置（基準画像の元となる投影画像Ｇが投影された際のプロジェクタ１の設置位置）と任意画像の元となる投影画像Ｇが投影された際のプロジェクタ１の設置位置（以下、「任意の位置」と称す。）との相対位置が算出され（相対位置算出手段）、算出した相対位置に関する情報が報知される。なお、基準補正値が記憶されていない場合は、第２補正モードの選択は無効となる。
【００３４】
加速度センサ２５は、プロジェクタ１の位置変化量を検出する。なお、加速度センサ２５としては、圧電体型、半導体ひずみゲージ型、サーボ型のいずれを用いても良い。本実施形態では、プロジェクタ１の複数箇所に加速度センサ２５が搭載されており、ＣＰＵ２１は、各加速度センサ２５から出力される計測値に基づいて、プロジェクタ１の前後方向、上下方向および左右方向における移動量、水平方向における回転量、並びに仰角の変化量を検出する。
【００３５】
なお、「前後方向」、「上下方向」、「左右方向」、「水平方向」および「仰角」とは、スクリーンＳＣに対するプロジェクタ１の位置変化を指すものであり、図２（プロジェクタ１を側面から見た平面図）および図３（プロジェクタ１を上面から見た平面図）に示すとおりである。なお、両図において、参照番号４１は、プロジェクタ１を設置する設置台を示している。
【００３６】
ここで、図４を参照して基準画像および基準補正値を記憶する手順について説明する。まず、プロジェクタ１は、ユーザにより画像補正モード選択キー３３から第１補正モードが選択されることで画像補正指示を受ける（Ｓ０１）。プロジェクタ１は、この指示をトリガとして、投射検出部１０の検出結果に基づいて投射光学系調整部１３による画像調整（レンズシフト調整、ズーム調整、フォーカス調整）を実行すると共に（Ｓ０２）、台形歪補正部３１により水平方向における回転や仰角変化に伴う画像の歪みを補正する（Ｓ０３）。これにより、スクリーンＳＣに正常な投影画像Ｇを投影することができる。この時のプロジェクタ１の設置位置が基準位置となる。
【００３７】
この状態で、ユーザにより補正情報設定キー３２が押されると（Ｓ０４）、プロジェクタ１は、現在投影されている投影画像Ｇを撮像し（Ｓ０５）、これを基準画像として記憶部２６に記憶する（Ｓ０６）。これと同時に、当該投影画像Ｇに関する台形歪補正部３１による画像補正値を基準補正値として記憶部２６に記憶する（Ｓ０７）。なお、これら基準画像および基準補正値は、プロジェクタ１の電源をＯＦＦしても消去されることがない。また、再度補正情報設定キー３２が押された場合は、上書き保存される。なお、補正情報設定キー３２による補正情報の記録は、第１補正モード選択時にのみ有効になる。これにより、例えば、第２補正モード選択時において、プロジェクタ１を基準位置に移動する前に当該キー３２が押されることにより、正常に投影されていない投影画像Ｇの撮像結果や画像補正値（つまり、基本画像や基本補正値として相応しくない情報）を記憶することを防止できる。
【００３８】
次に、図５ないし図９を参照して、基準位置とプロジェクタ１の現在位置（任意の位置）との相対位置に関する情報を報知する手順について説明する。なお、図６は、ここでのプロジェクタ１の基準位置Ｐ０および現在位置Ｐ１を示すものであり、図中のＬ１は基準位置Ｐ０と現在位置Ｐ１との前後方向の距離、Ｌ２は左右方向の距離、θは基準位置Ｐ０におけるプロジェクタ１の向きを基準とした現在位置Ｐ１のプロジェクタ１（光軸）の水平方向の向き（回転角度）を示す。また、図７は、図６の各位置（基準位置Ｐ０および現在位置Ｐ１）において撮像した画像（基準画像Ｈ０および任意画像Ｈ１）を示すものである。また、記憶部２６には、基準画像Ｈ０および基準補正値が記憶されているものとする。
【００３９】
まず、プロジェクタ１が任意の位置に設置され、ユーザにより画像補正モード選択キー３３から第２補正モードが選択されると（Ｓ１１）、プロジェクタ１は、記憶部２６から基準補正値および基準画像Ｈ０を読み出す（Ｓ１２、Ｓ１３）。次に、投影対象となる画像に対して基準補正値に基づいて画像補正を行う（Ｓ１４）。そして、この画像をスクリーンＳＣに投影し、その投影画像Ｇを任意画像Ｈ１として撮像する（Ｓ１５）。
【００４０】
次に、プロジェクタ１は、基準画像Ｈ０と任意画像Ｈ１との差分から、基準位置Ｐ０とプロジェクタ１の現在位置Ｐ１との相対位置を算出する（Ｓ１６）。この場合、図７に示すように、ＣＣＤカメラ３４の撮像領域ＡＲにおける画像の位置に基づいて、基準画像Ｈ０の四隅の座標（座標Ａ、Ｂ、Ｃ、Ｄ）および任意画像Ｈ１の四隅の座標（座標Ａ´、Ｂ´、Ｃ´、Ｄ´）を検出し、これら四隅の座標の位置関係（座標毎の差分）から、基準位置Ｐ０とプロジェクタ１の現在位置Ｐ１との相対位置を算出する。そして、プロジェクタ１は、この相対位置に関する情報をスクリーンＳＣに投影してユーザに報知する（Ｓ１７）。
【００４１】
例えば、上記の処理で算出された基準位置Ｐ０と現在位置Ｐ１との相対位置から、図６における前後方向の距離Ｌ１が３０ｃｍ、左右方向の距離Ｌ２が３０ｃｍ、水平方向の回転角度θが３０°であると分かった場合、プロジェクタ１は、図８（ａ）に示すように、自身の現在位置Ｐ１から基準位置Ｐ０までの移動方向や移動量等をスクリーンＳＣに投影してユーザに報知する。なお、図８（ｂ）に示すように、基準位置Ｐ０を基点としたプロジェクタ１の現在位置Ｐ１をプロジェクタ１に投影するようにしても良い。
【００４２】
また、プロジェクタ１は、加速度センサ２５により自身の位置変化を検出し、この位置変化が所定量を超えた場合、Ｓ１４からＳ１７までの処理を行い、基準位置Ｐ０とプロジェクタ１の現在位置Ｐ１との相対位置を算出する。そして、スクリーンＳＣにこの相対位置に関する情報を投影して報知する（図９参照）。これにより、例えば、所定量を少なく設定することで、プロジェクタ１の位置変化に伴って刻々と相対位置を算出し、当該プロジェクタ１を設置すべき位置に関する情報を報知することができる。
【００４３】
以上のように、本実施形態によれば、所定位置から投影した投影画像Ｇの撮像結果である基準画像と、当該投影画像Ｇを投射したときの画像補正値である基準補正値とを記憶する。また、この時の所定位置をプロジェクタ１の基準位置とする。一方、任意の位置から上記の基準補正値に基づいて投射した投影画像Ｇの撮像結果を任意画像とする。そして、これら基準画像と任意画像とを比較し、その差分に基づいて基準位置と任意の位置との相対位置を算出し、その算出した相対位置に関する情報を報知する。つまり、ユーザは、現時点のプロジェクタ１の位置（任意の位置）が、基準位置からどの方向にどのくらい離れているかを知ることが出来る。これにより、ユーザは、基準位置における画像の補正のみを行いさえすれば、その後は、プロジェクタ１の設置位置が変わったとしても、上述の相対位置に関する情報に基づいてプロジェクタ１の位置を基準位置に移動させるのみでスクリーンＳＣに対して正常な画像を投影することができる。このため、プロジェクタ１の設置場所が変ってしまったことに起因する画像補正（微調整）の手間を省くことが出来る。
【００４４】
なお、本実施形態では、加速度センサ２５によりプロジェクタ１自身の位置変化を検出し、この位置変化が所定量を超えた場合に、基準位置に対する現在のプロジェクタ１の設置位置の相対位置を算出するようにしているが、これに限らず、所定時間毎に加速度センサ２５による位置変化を検出し、その都度相対位置を算出するようにしても良い。あるいは、ユーザからの指示（例えば、プロジェクタ１に搭載されたボタンを押す等）をトリガとして、相対位置を算出するようにしても良い。ユーザからの指示をトリガとすることで、プロジェクタ１の位置変化に伴って刻々と相対位置を算出する場合に比べ、プロジェクタ１の処理負荷を軽減できるため、プロジェクタ１の性能が低い場合などには好適である。
【００４５】
また、台形歪補正部３１による画像補正値のみならず、投射検出部１０の検出結果（フォーカス位置やレンズシフト位置等の検出結果）を含めて基準補正値とし、これにより任意の位置から投影する画像の補正を行うようにしても良い。
【００４６】
また、相対位置に関する情報として、プロジェクタ１の上下方向の移動量や仰角変化に関する情報を報知するようにしても良い。
【００４７】
また、撮像対象となる投影画像Ｇとしては、輝度の高い白光を投射した際に投影される白色の矩形画像が好ましい。
【００４８】
また、プロジェクタ１の現在位置と基準位置との相対位置に関する情報をスクリーンＳＣに投影する際、双方の位置関係を示す図を含めて投影するようにしても良い。例えば、図１０に示すように、プロジェクタ１の基準位置、プロジェクタ１の現在位置および光軸の水平方向の向きを、プロジェクタ１を模式的に示した画像とその配置角度とで示すと共に、プロジェクタ１の現在位置から基準位置までの移動方向を矢印等で示すことで、ユーザは、プロジェクタ１をどの方向に移動させればよいのかを、より一層容易に把握することができる。
【００４９】
また、本実施形態では、プロジェクタ１の基準位置と現在位置との相対位置に関する情報をスクリーンＳＣに投影することで、ユーザに対して視覚的に報知するようにしているが、これに限らず、この情報を音声で報知するようにしても良い。音声で報知することで、ユーザは容易にプロジェクタ１の設置位置（あるいは、設置位置までの距離）を把握することができる。
【００５０】
また、上述した実施例によらず、プロジェクタ１の装置構成や位置算出方法における処理工程等について、本発明の要旨を逸脱しない範囲で、適宜変更も可能である。
【図面の簡単な説明】
【００５１】
【図１】本発明の一実施形態に係るプロジェクタのブロック図である。
【図２】プロジェクタを側面から見た平面図である。
【図３】プロジェクタを上面から見た平面図である。
【図４】基準画像および基準補正値を記憶する手順を示すフローチャートである。
【図５】プロジェクタの基準位置と現在位置との相対位置を算出する処理手順を示すフローチャートである。
【図６】プロジェクタの基準位置および現在位置の位置関係の例を示す図である。
【図７】図６の基準位置および現在位置において撮像した画像を示す図である。
【図８】スクリーンに投影する相対位置に関する情報の一例を示す図である。
【図９】プロジェクタの位置変化に伴い、スクリーンに投影される相対位置に関する情報が変化する様子を示す図である。
【図１０】スクリーンに投影する相対位置に関する情報の一例を示す図である。
【符号の説明】
【００５２】
１…プロジェクタ  １３…投射光学系調整部  １７…照明光学系  １８…液晶ライトバルブ  １９…投射光学系  ２３…画像処理部  ２５…加速度センサ  ２６…記憶部  ２７…撮像部  ３１…台形歪補正部  ３４…ＣＣＤカメラ  Ｇ…投影画像  Ｐ０…基準位置  Ｐ１…現在位置  Ｈ０…基準画像  Ｈ１…任意画像  ＳＣ…スクリーン
【図１】
2009186528.tif 000003
【図２】
2009186528.tif 000004
【図３】
2009186528.tif 000005
【図４】
2009186528.tif 000006
【図５】
2009186528.tif 000007
【図６】
2009186528.tif 000008
【図７】
2009186528.tif 000009
【図８】
2009186528.tif 000010
【図９】
2009186528.tif 000011
【図１０】
2009186528.tif 000012